(57)【要約】      （修正有）【課題】入手可能なボールカッター及びトロイドカッターの帯域を増大させるボールカッターまたはトロイドカッターを提供する。【解決手段】複数の切削刃５，５ａ，５ｂは複数の溝７，７ａ，７ｂによって互いに隔てられており、溝７，７ａ，７ｂは少なくとも一部において直線状に形成された溝底部８を有し、当該溝底部は溝底部に相当する直線９を規定し、溝７，７ａ，７ｂのフェイスギャップ角λ、λ１、λ２が工具の長手方向軸Ａに垂直な平面Ｅに対する溝底部直線９の傾斜角として定義され、少なくとも１つの溝７，７ａ，７ｂの、特にすべての溝７，７ａ，７ｂのフェイスギャップ角λ、λ１、λ２が６０°よりも小さい、ボールカッターまたはトロイドカッター２による。このボールカッターまたはトロイドカッターは６つより多くの切削刃を備え得る。【選択図】図１
2007075992.tif 000002
【特許請求の範囲】
【請求項１】
ａ）カッター（２）の切削面（３）に形成され、特に工具（２）の慣性主軸となる工具の長手方向軸（Ａ）周りを回転可能とされ又は回転する少なくとも１つの加工領域（４）を備え、当該加工領域に複数の切削刃（５，５ａ，５ｂ）、特に回転加工方向（Ｄ）に有効な荒削り刃及び／又は仕上げ刃が形成され、
ｂ）複数の切削刃（５，５ａ，５ｂ）は複数の溝（７，７ａ，７ｂ）によって互いに隔てられており、
ｃ）溝（７，７ａ，７ｂ）は少なくとも一部において直線状に形成された溝底部（８）を有し、当該溝底部は溝底部に相当する直線（９）を規定し、
ｄ）溝（７，７ａ，７ｂ）のフェイスギャップ角（λ、λ１、λ２）が工具の長手方向軸（Ａ）に垂直な平面（Ｅ）に対する溝底部直線（９）の傾斜角として定義され、
ｅ）少なくとも１つの溝（７，７ａ，７ｂ）の、特にすべての溝（７，７ａ，７ｂ）のフェイスギャップ角（λ、λ１、λ２）が６０°よりも小さい、
ボールカッターまたはトロイドカッター（２）。
【請求項２】
前記フェイスギャップ角（λ、λ１、λ２）は６０°よりも小さく２０°から５９°程度であり、特に３０°から５７°程度であり、ボールカッターにおいては好ましくは４３°から５７°程度であり、トロイドカッターにおいては３３°から４２°程度であることを特徴とする請求項１に記載のボールカッターまたはトロイドカッター。
【請求項３】
溝のフェイスギャップ角（λ、λ１、λ２）は少なくとも２つの異なる値とされ、特に第１の溝（７ａ）は第１フェイスギャップ角（λ１）とされ第２の溝（７ｂ）は第１フェイスギャップ角（λ１）とは異なる第２フェイスギャップ角（λ２）とされることを特徴とする請求項１または２に記載のボールカッターまたはトロイドカッター。
【請求項４】
ａ）ボールカッターにおいては第１フェイスギャップ角（λ１）が好ましくは４０°から５０°程度であり、特に約４５°であり、第２フェイスギャップ角（λ２）が５１°から５９°程度であり、特に約５５°であり、かつ／又は、
ｂ）トロイドカッターにおいては第１フェイスギャップ角（λ１）が好ましくは３０°から４０°程度であり、特に約３５°であり、第２フェイスギャップ角（λ２）が３５°から４５°程度であり、特に約４０°であることを特徴とする請求項３に記載のボールカッターまたはトロイドカッター。
【請求項５】
ａ）カッター（２）の切削面（３）に形成され、特に工具（２）の慣性主軸となる工具の長手方向軸（Ａ）周りを回転可能とされ又は回転する少なくとも１つの加工領域（４）を備え、当該加工領域に複数の切削刃（５，５ａ，５ｂ）、特に回転加工方向（Ｄ）に有効な荒削り刃及び／又は仕上げ刃が形成され、
ｂ）複数の切削刃（５，５ａ，５ｂ）は複数の溝（７，７ａ，７ｂ）によって互いに隔てられており、
ｃ）溝（７，７ａ，７ｂ）は少なくとも一部において直線状に形成された溝底部（８）を有し、当該溝底部は溝底部に相当する直線（９）を規定し、
ｄ）溝（７，７ａ，７ｂ）のフェイスギャップ角（λ、λ１、λ２）が工具の長手方向軸（Ａ）に垂直な平面（Ｅ）に対する溝底部直線（９）の傾斜角として定義され、
ｅ）６つより多くの切削刃（５，５ａ，５ｂ）が形成されている、請求項１ないし４のいずれかに記載のボールカッターまたはトロイドカッター（２）。
【請求項６】
７，８，９，または１０の切削刃（５，５ａ，５ｂ）が形成されていることを特徴とする請求項５に記載のボールカッターまたはトロイドカッター。
【請求項７】
少なくとも１つの、特に２つの、好ましくは工具の中心（Ｈ１）を越えて実質的に互いに反対側に位置する２つの第１切削刃（５ａ）が形成され、残りの切削刃は工具の中心を越えない第２切削刃（５ｂ）として形成されていることを特徴とする請求項１ないし６のいずれかに記載のボールカッターまたはトロイドカッター。
【請求項８】
回転加工方向（Ｄ）に関して第１切削刃（５ａ）に隣接する溝（７ａ）は、回転加工方向（Ｄ）に関して第２切削刃（５ｂ）に隣接する溝（７ｂ）よりもフェイスギャップ角（λ２）に比較して小さいフェイスギャップ角（λ１）とされていることを特徴とする請求項１ないし７のいずれかに記載のボールカッターまたはトロイドカッター。
【請求項９】
回転加工方向（Ｄ）に関して第１切削刃（５ａ）に隣接する溝は第１の溝（７ａ）であり、回転加工方向（Ｄ）に関して第２切削刃（５ｂ）に隣接する溝は第２の溝（７ｂ）であることを特徴とする請求項８に記載のボールカッターまたはトロイドカッター。
【請求項１０】
ａ）各切削刃（５，５ａ，５ｂ）は回転加工方向（Ｄ）にワーキングフランク（１０）を有し、ワーキングフランク（１０）の反対側に切削刃の背部（１１）を有し、
ｂ）当該ワーキングフランク（１０）は切削刃（５，５ａ，５ｂ）に隣接する溝（７，７ａ，７ｂ）の側面を形成し、かつ／又は、溝（７，７ａ，７ｂ）の側面へと滑らかに変化していることを特徴とする請求項１ないし９のいずれかに記載のボールカッターまたはトロイドカッター。
【請求項１１】
複数の第１切削刃（５ａ）のそれぞれの切削刃背部（１１）は互いに滑らかに変化して連続的段部（１２）を形成することを特徴とする請求項７または１０に記載のボールカッターまたはトロイドカッター。
【請求項１２】
第１切削刃（５ａ）の移行領域における前記段部（１２）は、特に工具の長手方向軸Ａに交差し特に２つの部位からなる横切削刃（１３，１３ａ，１３ｂ）を有し、その２つの部位（１３ａ，１３ｂ）は好ましくは工具の長手方向軸Ａに関して実質的に点対称であることを特徴とする請求項１１に記載のボールカッターまたはトロイドカッター。
【請求項１３】
少なくとも１つの、特に複数の又はそれぞれの第２切削刃（５ｂ）がカッター（２）の切削面（３）に平坦領域（１４）を形成することを特徴とする請求項１ないし１２のいずれかに記載のボールカッターまたはトロイドカッター。
【請求項１４】
前記平坦領域（１４）は、平坦領域（１４）の一方の側と工具の中心軸（Ａ）との間の、及び／又は平坦領域（１４）の他方の側と平坦領域（１４）を貫き工具の中心軸（Ａ）に平行な線との間の平坦角（α）を規定し、当該平坦角は６０°から８８°程度であり、特に７５°から８５°程度であり、好ましくは約８０°であることを特徴とする請求項１３に記載のボールカッターまたはトロイドカッター。
【請求項１５】
工具の長手方向軸Ａと加工対象物の表面（Ｌ）への垂線（Ｎ）との間の角度として定義される工具（２）の傾斜角（β）が少なくとも５°程度であり、特に少なくとも１０°程度であり、好ましくは少なくとも２０°程度であり、かつ／又は、５°から４０°の間であり、特に１０°から３０°の間であり、好ましくは約２０°であることを特徴とするボールカッターまたはトロイドカッター（２）、特に請求項１ないし１４のいずれかに記載のボールカッターまたはトロイドカッター（２）による加工対象物の表面（１６、Ｌ）の切削加工方法。
【発明の詳細な説明】
【技術分野】
【０００１】
本発明は、ボールカッターまたはトロイドカッターに関する。これらはともに、ラジアスカッターとしてしばしば用いられる。
【背景技術】
【０００２】
ボールカッター及びトロイドカッターは、シャンクエンドカッターである。つまりこれらは長く延びる円柱状の構造体である。この構造体の一端には工作機械に把持されるためのシャンクが形成されている。構造体の反対側の端部にはカッターの加工領域が形成されている。この加工領域は切削面とも称される。この加工領域は加工対象物を加工するための切削刃を備える。
【０００３】
加工領域は工作機械の長手方向の軸、特に工具の慣性主軸に関して回転し又は回転可能とされるように設計される。
【０００４】
ボールカッター及びトロイドカッターは、単一ブロックからなる工具、言い換えれば一体の部材からなる工具として設計されうるものである。あるいは、刃先部、特に調整可能な刃先を有する工具としてように設計されうるものである。これはすなわち、保持体とその保持体から取り外し可能かつ交換可能な別体の刃部とを備えるということである。鑞づけで接合された刃部を備える工具も更なる変形例の１つである。
【０００５】
単一ブロックからなる工具の場合、通常は高速度鋼または超高合金により形成される。
【０００６】
ボールカッターとトロイドカッターとは切削刃の形状という点で異なる。ボールカッターは半球状の切削面を有し、これによりボールカッターの切削刃はラジアスカッターとも称される。この場合のラジアスは加工領域の外径の最大値（切削刃の外径の最大値）の半分に対応する。トロイドカッターはトロイダル面の切削面を有し、切削刃の角部がコーナーラジアスを有するように設計されている。このラジアスは加工領域の外径の最大値（切削刃の外径の最大値）の半分よりも小さい。
【０００７】
加工領域の外径の最大値（切削刃の外径の最大値）は、ボールカッター及びトロイドカッターにおいては通常２０ｍｍより大きくなく、たいていの場合１６ｍｍよりも大きくない。下限としては０．１ｍｍのオーダーの外径が充分に実現可能である。
【０００８】
切削刃は溝（あるいは間隙）によって互いに隔てられている。この場合の溝は慣習的には３０°のねじれ角で工具の軸の周りにねじれた状態で延びている。また、溝は、ねじれ角のない状態（ねじれ角＝０°非ねじれ溝）で工具の軸の周囲に形成されてもよい。このようにねじれ角のない溝は、溝底部が少なくとも実質的に直線状に配列されるように工具に刻まれる。溝の直線的底部は、溝底部に相当する直線を規定し、次いで工具の長手方向軸に垂直な平面に対する角度いわゆるフェイスギャップ角を規定する。言い換えれば、工具の長手方向軸に垂直な平面からの溝底部に相当する直線の傾きがフェイスギャップ角を形成する。
【０００９】
従前から開示されているボールカッター及びトロイドカッターで切削刃間の溝にねじれ角がないものは、常に最大でも６つの切削刃を備える。これは構造上の特性によるものである。従前のボールカッター及びトロイドカッターのフェイスギャップ角はすべての溝で一定であり、かつ６０°の大きさとされており、６つより多くの切削刃を備えることはこのフェイスギャップ角では不可能である。この制約に対応して、特定用途に最適化された特徴を有する入手可能なボールカッター及びトロイドカッターの帯域も制限されることになる。
【発明の開示】
【発明が解決しようとする課題】
【００１０】
よって、本発明の目的は、入手可能なボールカッター及びトロイドカッターの帯域を増大させるボールカッターまたはトロイドカッターを提案することにある。特に、このボールカッターまたはトロイドカッターにより、特定用途向けの加工対象物の最適化された機械加工が許容される。
【課題を解決するための手段】
【００１１】
この目的は、請求項１の特徴を含む発明によって達成される。更に有効な改良及び実施態様は従属請求項に示される。
【００１２】
提案されるボールカッターまたはトロイドカッター（あるいはラジアスカッター）は、
ａ）カッターの切削面に形成され、特に工具の慣性主軸となる工具の長手方向軸周りを回転可能とされ又は回転する少なくとも１つの加工領域を備え、当該加工領域に複数の切削刃、特に回転加工方向（あるいは切削方向）に有効な荒削り刃及び／又は仕上げ刃が形成され、
ｂ）複数の切削刃は複数の溝（あるいは間隙）によって互いに隔てられており、
ｃ）溝は少なくとも一部において直線状に形成された溝底部を有し、当該溝底部が溝底部に相当する直線を規定し、
ｄ）溝のフェイスギャップ角が工具の長手方向軸に垂直な平面に対する溝底部直線の傾斜角として定義され、
ｅ）少なくとも１つの溝の、特にすべての溝のフェイスギャップ角が６０°よりも小さい。
【００１３】
特に、溝は、実質的に完全に直線状に形成され、かつ／又は、工具の軸周りに捩れがなく配列されている少なくとも１つの溝底部を有する。溝底部は、特に一端または両端において湾曲形状であってもよく、例えば中央部のみが直線状に形成されていてもよい。
【００１４】
本発明の効果は、従来知られている６０°の角度よりも小さくフェイスギャップ角を定めることによりボールカッターまたはトロイドカッターにおいて６つより多くの切削刃を設計可能となるという点にある。より多くの切削刃を有することにより、より高速のカッター送りを実現することができる。これは、切削刃あたりの送り量が切削時の工具送り量にクリティカルな量であることによるものである。つまり工具の送りは、切削刃がなした切削量に基づいて可能となるということである。切削刃あたりの送り量が均一である場合には、切削刃の増加により工具送りの高速化が可能となる。このように切削刃の数は、工具が達成することのできる送り速度及び加工対象物の加工必要時間を決定づけるパラメータである。
【００１５】
従来のボールカッターまたはトロイドカッターではスロット配列のせいで最大６つまでの切削刃となるという避けられない制約があり、工具の達成可能な送り速度が制限されている。本発明においては、従来の慣習的なスロットの設計から逸脱してフェイスギャップ角を小さく定める。その結果、例えばボールカッターでは６つより多くの切削刃を有し送り速度が速くなり加工時間が短くなるというように、従来のボールカッターでは達成できない特性を備えるボールカッター及びトロイドカッターが提供される。従って、特定用途に最適化された特性を有する入手可能なボールカッター及びトロイドカッターの帯域を増やすことができる。
【００１６】
更なる効果は、フェイスギャップ角を小さくすることにより溝の断面形状がより良好に隣接の切削刃に適合するというものである。その結果、切削刃はより安定化され、耐摩耗性が向上する。具体的には、フェイスギャップ角を小さくすることにより、フェイスギャップ角を大きくする場合に比較して、回転加工方向から見たときの各切削刃の後方に、より多くの母材を残しておくことができる。よって切削刃を安定化させることができる。これにより、従来よりも多くの切り込みつまり切削刃を設定することが可能となる。一方、フェイスギャップ角を大きくすると切削刃後方の母材が少なくなり、より少ない切削刃を刻むことしかできない。約６０°のフェイスギャップ角で例えば工具直径が１０ｍｍである場合には、十分な安定性をもたせるには最大でも５つの切削刃を刻み入れられるに過ぎない。ところが同じ工具直径でも、ボールカッターにおいてはフェイスギャップ角を４５°及び５５°とし、トロイドカッターにおいてはフェイスギャップ角を３５°及び４０°とすれば、十分な安定性を備えつつ８つの切削刃を実現することができる。
【００１７】
より多くの切削刃を備えることの利点としては、切削動作が多くの刃に分散されるということが挙げられる。すなわち切削動作において個々の切削刃の摩耗が低減される。よって工具の長寿命化が実現される。
【００１８】
本発明において６０°よりも小さくされるフェイスギャップ角の更なる改良では、フェイスギャップ角が２０°から５９°程度とされ、特に３０°から５７°程度とされ、ボールカッターにおいては好ましくは４３°から５７°程度とされ、トロイドカッターにおいては３３°から４２°程度とされる。このようなフェイスギャップ角により切削刃を６つより多くすることができる。
【００１９】
特に好ましい実施態様によれば、溝のフェイスギャップ角は少なくとも２つの異なる値とされ、特に第１の溝は第１フェイスギャップ角とされ、第２の溝は第１フェイスギャップ角とは異なる第２フェイスギャップ角とされる。このようにすれば切削刃の安定性と耐摩耗性に関する特性を備えつつ隣接の各切削刃間に最小限の必要スペースで最適化された溝が提供される。
【００２０】
ボールカッターにおいては、第１フェイスギャップ角は好ましくは４０°から５０°程度とされ、特に約４５°とされ、第２フェイスギャップ角は５１°から５９°程度とされ、特に約５５°とされる。トロイドカッターにおいては、第１フェイスギャップ角は好ましくは３０°から４０°程度とされ、特に約３５°とされ、第２フェイスギャップ角は３５°から４５°程度とされ、特に約４０°とされる。このようにすれば、問題なく８つの切削刃を実現することができる。
【００２１】
前述の目的は請求項５の特徴によっても達成される。更に有効な改良及び実施態様は従属請求項に示される。
【００２２】
ここで提案されるボールカッターまたはトロイドカッター（あるいはラジアスカッター）は、
ａ）カッターの切削面に形成され、特に工具の慣性主軸となる工具の長手方向軸周りを回転可能とされ又は回転する少なくとも１つの加工領域を備え、当該加工領域に複数の切削刃、特に回転加工方向（あるいは切削方向）に有効な荒削り刃及び／又は仕上げ刃が形成され、
ｂ）複数の切削刃は複数の溝によって互いに隔てられており、
ｃ）溝は少なくとも一部において直線状に形成された溝底部を有し、当該溝底部が溝底部に相当する直線を規定し、
ｄ）溝のフェイスギャップ角が工具の長手方向軸に垂直な平面に対する溝底部直線の傾斜角として定義され、
ｅ）６つより多くの切削刃が形成されている。
【００２３】
このボールカッターまたはトロイドカッターの効果は上述の説明から導かれる。このボールカッターまたはトロイドカッターは好ましくは上述の実施形態において特にフェイスギャップ角に関連して実施される。もちろん、この場合のボールカッターまたはトロイドカッターで切削刃を６つより多くするのに、少なくとも一部が直線状に形成された溝底部を有する溝とはせずに、例えば工具の長手方向軸周りに捩れており、かつ／又は完全に湾曲した溝底部を有する溝とすることもできる。
【００２４】
更なる改良によれば、７，８，９，または１０の切削刃が工具に形成される。
【００２５】
１つの特に好ましい実施形態によれば、少なくとも１つの、特に２つの、好ましくは工具の中心を越えて実質的に互いに反対側に配置される２つの第１切削刃が形成され（言い換えればこれらの切削刃はボールカッターまたはトロイドカッターの中心を超えて形成されている）、残りの切削刃は工具の中心を越えない第２切削刃（あるいは副切削刃）として形成される。この場合の工具の中心は工具の長手方向軸を含む平面であり、この平面は回転加工方向とは逆方向に各溝に隣接する切削刃の放射状の配置に垂直に工具の長手方向軸に関連して配列される。よって、これらの工具中心面は溝ごとに異なる。
【００２６】
回転加工方向に関して第１切削刃に隣接する溝（すなわち回転加工方向に関して切削刃の前方に配置されている溝）は、回転加工方向に関して第２切削刃に隣接する溝よりも小さいフェイスギャップ角とされている。この更なる修正は実用的である。それは、回転加工方向に関して第１切削刃に隣接する溝（第１切削刃及び第１切削刃に先行する溝の双方）は、工具の中心を越えて形成されるために、より深く工具に刻み込まれなければならないからである。このために必要となる母材の除去量は、フェイスギャップ角を小さくすることにより少なくとも部分的に補償される。従来技術よりも多くの切削刃を刻みつけても、この方法により第１切削刃の望ましいまたは必要とされる安定性が達成される。この場合第２切削刃に関してはより大きいフェイスギャップ角が適切であり、適切な切削刃及び切屑排出用の間隙を形成するためにはそれが必要ですらある。
【００２７】
回転加工方向に関して第１切削刃に隣接する溝は適切には上述の第１の溝であり、回転加工方向に関して第２切削刃に隣接する溝は上述の第２の溝である。したがって、工具は正確には第１及び第２の溝という２つの種類の溝を有する。加工方向に関して第１切削刃の前方に位置する第１の溝は第１フェイスギャップ角とされ、加工方向に関して第２切削刃の前方に位置する第２の溝は第１フェイスギャップ角とされる。第１切削刃及び関連する第１の溝は工具の中心を越えて特に切削加工により形成されている一方、第２切削刃及び第２の溝は工具の中心を越えて形成されてはいない。
【００２８】
本発明に係るボールカッターまたはトロイドカッターの適切な実施形態においては、
ａ）各切削刃は回転加工方向（切削方向）にワーキングフランクを有し、ワーキングフランクの反対側に切削刃の背部を有し、
ｂ）当該ワーキングフランクは切削刃に隣接する溝の側面を形成し、かつ／又は、溝の側面へと滑らかに変化するように形成されている。
【００２９】
工具の製造工程に関連して、このことは、溝を削り出す工程により切削刃が工具に形成されることを意味する。
【００３０】
上述の実施形態の更なる改良においては、工具の中心を越えて形成される第１切削刃の切削刃背部が互いに滑らかに変化して連続的段部を形成することになる。更に好ましい改良においては、段部には、第１切削刃の移行領域において２つの部位からなる横切削刃が形成される。特に横切削刃は工具の長手方向軸に交差し、好ましくは当該２つの部位が工具の長手方向軸に実質的に点対称となるよう形成される。もちろん、このような横切削刃は、従来の工具に対して同様の段部に上述の工具の特徴とは無関係に形成することも可能である。工具先端にこの種の横切削刃を設けることにより、段部の移行領域に発生したであろう過大な摩擦摩耗を少なくともかなり予防することができる。その結果、加工品質及び／又は工具寿命が改善される。
【００３１】
更に好ましい更なる改良においては、（工具先端、工具の中心、及び工具の長手方向軸まで延びている）カッターの切削面における少なくとも１つの、特に複数の又はそれぞれの第２切削刃（あるいは副切削刃）に平坦領域が形成される。一変形例においては、平坦領域は、平坦領域の一方の側と工具の中心軸との間の、及び／又は平坦領域の他方の側と平坦領域を貫き工具の中心軸Ａに平行な線との間の平坦角を規定し、当該平坦角は６０°から８８°程度であり、特に７５°から８５°程度であり、好ましくは約８０°である。もちろん、このような平坦領域は、上述の工具の特徴とは無関係に従来の工具に対して切削刃に同様に形成することも可能である。このような切削刃により各切削刃を安定化させることができる。平坦領域がない場合には、工具先端及び／又は工具の中心及び／又は工具の中心軸の近傍領域における切削刃は、非常に母材をむしられかつ摩耗されやすくなってしまう。
【００３２】
更に、ボールカッターまたはトロイドカッターを用いて加工対象物の表面を切削加工する方法が提案される。この方法は特に上述の実施形態に係るボールカッターまたはトロイドカッターを用いることが意図されている。この方法の特徴は、工具の長手方向軸と加工されるべき点における加工対象物の表面への垂線との間の角度として定義される工具の傾斜角が少なくとも５°であり、特に少なくとも１０°であり、好ましくは少なくとも２０°であり、かつ／又は、５°から４０°の間であり、特に１０°から３０°の間であり、好ましくは約２０°であるという点にある。これは、カッターが加工中に所定角度、好ましくは垂線に対して約２０°に設定されるということを意味する。もちろん、本発明に係るボールカッターまたはトロイドカッターを使用して、工具を加工対象物表面に対して垂直にする（傾斜角＝０°）伝統的な加工も可能である。しかし、角度をつけて加工することにより、垂直加工に比較してより多くの切削刃、好ましくはすべての切削刃が使用されるという利点がもたらされる。ところが、垂直あるいは表面に工具をほぼ垂直に位置決めして加工する場合には、少ない切削刃だけ、例えば２つの切削刃だけしか加工に供されないことになる。
【００３３】
ボールカッター及びトロイドカッターの切削刃の幾何形状のために、合計で２つの切削刃だけしか中心を越えて、また中心に達するように形成されることができない。更なる考察においては適宜第２切削刃（副切削刃）の平坦化により工具先端部に平面が形成される。工具を垂直とする場合、また一般的には２０°以内の垂直姿勢の場合でさえ、２つの第１切削刃しか切削加工に利用されない。このため切削刃の数を最大化することによる利点は結局活かされない。よって、トロイドカッターまたはボールカッターは少なくとも２０°の傾斜角が適用されるべきである。この傾斜姿勢により、すべての切削刃を用いることが可能となり、本発明に係る工具の有効性が最大限発揮される。
【００３４】
１つの切削刃あたりの工具の送り速度が０．０５ｍｍであるとすると、２つの切削刃だけが実質的に機能している場合（例えば垂直またはほぼ垂直に工具を位置合わせしている場合）には工具一回転につき工具の送りは０．１０ｍｍしかない。これに対して８つの切削刃の場合（例えば工具の傾斜角を２０°から上げた場合）には工具一回転につき０．４０ｍｍの送りを達成することが可能となり、加工時間の低減も達成される。
【００３５】
更に考慮すべき事項として、２つの切削刃だけが使われれば、これらは切削動作の実行にことごとく必要とされることから、これらの切削刃の摩耗の増大を招いてしまうという点が挙げられる。この場合、工具の寿命がかなり短くなってしまう。よって、工具の傾斜を用いることにより、工具の長寿命化を実現することができる。
【００３６】
加えて、本発明に係る工具の切削刃は均一または不均一に配置してもよいという点に留意すべきである（つまり均一または不均一の配置角度としてもよい）。不均一の配置とすると、均一配置の場合に生じうる工具のびびりを避けられる可能性があるという利点がある。切削刃の切削角もすべての切削刃に対して均一にも不均一にも選択することができる。
【００３７】
ボールカッターまたはトロイドカッターは通常時計回りに切削するよう設計されるが、反時計回りに切削するようにすることも可能である。
【００３８】
本発明に係るボールカッターまたはトロイドカッターは基本的には単一のブロックからなる工具であると意図される。この場合、切削刃は少なくとも加工領域とともにあるいは工具全体とともに１つの部材として形成される。工具の製造工程において例えば研削などの母材を除去する工程により切削刃を形成することが適切である。
【００３９】
しかしながら、刃先部、特に調整可能な刃先を有する工具、あるいは鑞づけで接合された刃部を備える工具も考えられる。
【００４０】
本発明に係るボールカッターまたはトロイドカッターは、超高合金及び／又は高速度鋼及び／又はサーメットにより適宜形成される。工具は例えばＶＨＭ（固体カーバイド）であってもよい。
【００４１】
少なくとも切削刃は例えばＴｉＡｌＮなどの機械的強度の高い素材によるコーティング及び／又は対摩耗性コーティングを備えてもよい。
【発明を実施するための最良の形態】
【００４２】
以下、添付の図面を参照し、かつ例示としての実施形態の記述に基づいて、本発明ならびに更なる構成要件及び効果に関して詳細に説明する。
【００４３】
図１から図１２において互いに一致する部位または量は同一の参照符号を付して示すものとする。
【００４４】
図１は、本発明に係るトロイドカッター２の一実施形態を模式的に示す側面図である。カッター２はシャンクエンド工具またはシャンクエンドカッターである。つまりトロイドカッター２は細長い形状とされ、図に示されるように工具の長手方向の軸Ａを備える。シャンク６はトロイドカッター２の長手方向の一方に形成されており、これによりトロイドカッター２が工作機械に組み付けられ得る。トロイドカッターは、工作機械の操作により工具の長手方向軸Ａに関して回転させられる。良好に回転するように長手方向軸Ａはトロイドカッター２の慣性主軸とされる。図１に示される工具２は回転加工方向Ｄとして記号で示されるように時計回りに切削加工を行う。
【００４５】
シャンク６の他端にはトロイドカッター２の切削面３に加工領域４が形成される。加工領域４は通常は工具２と一体に工具の長手方向軸Ａ周りに回転することが可能である。加工領域４には切削刃５が形成されている。切削刃５は、トロイドカッター２の加工領域４における溝７により互いに隔てられている。
【００４６】
加工領域４の一部が断面図として図１に示されている。この断面図により溝７が示される。溝７は直線状に形成された溝底部８を有する。つまり溝７は工具の長手方向軸Ａ周りに捩れていない（捩れ角＝０°）。溝の直線状の底部７は溝底部に相当する直線９を画定する。工具の長手方向軸Ａに垂直な平面Ｅ（図１においては幾何学的に適切な記号で直角を示す）からの、この溝底部に相当する直線９の傾きを溝７のフェイスギャップ角λと定義する。ここでは、フェイスギャップ角は４０°程度である。このように、フェイスギャップ角λは、従来よく知られている６０°の角度よりも明らかに小さい。
【００４７】
図２は、本発明に係るトロイドカッター２の一実施形態の切削面３を模式的に示す上面図である。均一に８つに分散配置された切削刃５及び８つの溝７を確認することができる。これらの８つの溝７により切削刃５が互いに隔てられている。工具の長手方向軸Ａは補助線Ｈ１、Ｈ２で示される工具２の中心を通り、かつ図面上の平面に垂直である。
【００４８】
図２から工具２は異なる２種類の切削刃５を有することがわかる。それは、２つの第１切削刃５ａと６つの第２切削刃５ｂである。２つの第１切削刃５ａは互いに反対側に位置しており、それぞれ工具の中心を越えて補助線Ｈ１を跨ぐ方向に延びている。切削刃５は溝７を切削することによりもたらされたものであるから、回転加工方向Ｄに関して第１切削刃５ａの前方に位置する溝７は、同様に工具（あるいは基台）の中央線Ｈ１を越えて形成されている。これらの溝は第１の種類の溝７ａ（第１の溝７ａ）を形成する。切削刃５は、回転加工方向Ｄに関して後方に背部１１を有する。ここでの第１切削刃５ａ双方の切削刃の背部１１は一方から他方へと滑らかに変化して連続的段部１２を形成する。
【００４９】
回転加工方向Ｄに関して第２切削刃５ｂの前方に位置する６つの溝７は、第２の種類の溝７ｂ（第２の溝７ｂ）を形成する。第２切削刃５ｂ及び第２の溝７ｂは工具の中心を越えて研削されてはいない。
【００５０】
工具の中心を越えて形成される第１の溝７ａは第２の溝７ｂよりも工具２の深部まで削られなければならないので、第１の溝７ａのフェイスギャップ角λは第２の溝７ｂのフェイスギャップ角λよりも小さくなるように選択される。過度の母材の除去により切削刃５の安定性を減少させるのを防ぐためである。したがって、図２のトロイドカッター２は２種類のフェイスギャップ角λを有し（すなわちフェイスギャップ角λは２種類の値とされる）、つまり第１の溝７ａにおける第１フェイスギャップ角λ１と第２の溝７ｂにおける第２フェイスギャップ角λ２とが存在し、第１フェイスギャップ角λ１は第２フェイスギャップ角λ２よりも小さくなるように選択される。図２のトロイドカッター２においては、一例として、第１フェイスギャップ角λ１は３５°程度に、第２フェイスギャップ角λ２は４０°程度にすることができる。
【００５１】
図３及び図４は、本発明に係るトロイドカッター２の一実施形態の加工領域４を模式的に示す側面図である。図４のトロイドカッター２は図３に比較して長手方向軸Ａ周りに回転させられている。図３及び図４のトロイドカッター２は少なくとも実質的な点において図２のトロイドカッターに一致しており、特に８つの切削刃５，５ａ，５ｂ及び対応する８つの溝７，７ａ，７ｂはそれぞれに示されている。構造上の観点からは、図２ないし図４のトロイドカッター２は少なくとも原理的には図１のトロイドカッター２に対応している。
【００５２】
図３において観察者に向かって正面に示されているのは、第１切削刃５ａと関連する第１の溝７ａである。この第１の溝７ａは第１フェイスギャップ角λ１とされている。左に見えるのは第２切削刃５ｂと関連する第２の溝７ｂであり、第２の溝７ｂは第２フェイスギャップ角λ２とされている。第１フェイスギャップ角λ１は第２フェイスギャップ角λ２よりも小さくなるように選択される（例えば順に３５°、４０°である）。にもかかわらず、第１の溝は、当該溝が工具の中心を越えて切削形成されることから、明らかに第２の溝７ｂよりも工具２のより深くまで削り込まれている。仮に従来技術に比較して明らかに小さいフェイスギャップ角λ１、λ２ではないとしたら、第１の溝７ａは工具のいっそう深くまで彫り込まれ、８つの安定的な切削刃５，５ａ，５ｂを実現することは不可能となるであろう。
【００５３】
図４では第２の溝７ｂが観察者の正面に見え、第１の溝７ａが左側に見えている。
【００５４】
図３及び図４においては、各切削刃５，５ａ，５ｂの回転加工方向Ｄに関する先端部にワーキングフランク１０が示されている。ワーキングフランク１０は同時に、関連する（先端側の）溝７，７ａ，７ｂの側壁を構成し、あるいは少なくともこの側壁へと滑らかに変化する。各切削刃の背部１１は、各切削刃５，５ａ，５ｂの反対側に形成される。
【００５５】
図５は、本発明に係るボールカッター２の一実施形態を模式的に示す側面図である。これは大まかには図１に示されるトロイドカッター２に対応しており、同じ参照符号を使用する。よって、説明の都合上、適宜図１を参照することができる。トロイドカッターとボールカッターとの違いは切削刃５の形状にあることがわかる。トロイドカッターは端部領域のみが丸みを帯びている一方、ボールカッターは切削刃５が放射状の切削刃となっており実質的に半球状に見える。更なる違いは、ボールカッターの溝７のフェイスギャップ角λが図１のトロイドカッターよりも大きくなるよう選択される点にある。この実施例ではフェイスギャップ角は４５°程度とされるが、それでもトロイドカッター同様に従来からよく見られる６０°の角度よりも明らかに小さい。
【００５６】
図１と図５との間の更なる違いは溝７の選択にもある。図５の溝７は工具の中心に到達している一方、図１の溝はそうではない。これは、図５では第１の溝７ａが示されているのに図１では第２の溝７ｂが示されているからである。工具の幾何学的形状の違いにもかかわらず、第１の溝７ａは、同程度のフェイスギャップ角とされている第２の溝７ｂよりも工具の深くまで削り込まれている。
【００５７】
図１及び図５に基づいてトロイドカッターとボールカッターとを比較して明らかになることは、ボールカッターのフェイスギャップ角が常にトロイドカッターのフェイスギャップ角よりも大きくなるよう選択されるということである。ところが、このことが切削刃５の安定性に負の効果を与えることはない。これは、ボールカッターのほうがより広範に湾曲する領域を有するからである。本実施形態において湾曲は工具の先端の中心で既に始まっている。だから、同一のフェイスギャップ角かつ同一種類の溝（第１の溝または第２の溝）であるときに、溝の底部８からの切削刃５への最大距離が明らかにより小さい。これに対応して、この距離は、より大きなフェイスギャップ角である場合にも比較的小さく、その結果、より大きなフェイスギャップ角である場合でもなお安定的な切削刃が保証される。
【００５８】
図６は、本発明に係るボールカッター２の一実施形態の切削面３を模式的に示す上面図である。これは大まかには図２に示されるトロイドカッター２に対応しており、同じ参照符号を使用する。よって、説明の都合上、適宜図２を参照することができる。ボールカッター２の場合においても、第１フェイスギャップ角λ１は第２フェイスギャップ角λ２よりも小さくなるように選択される。例えば第１フェイスギャップ角λ１は４５°程度に、第２フェイスギャップ角λ２は５５°程度にすることができる。したがって、ボールカッターでは切削刃の安定性に関するいかなる不利な効果もなくトロイドカッターより大きいフェイスギャップ角が可能である。
【００５９】
図６においては、ボールカッター２の切削面３の中央部に領域Ｘが示されている。この領域Ｘが拡大されて図７に示されている。工具の長手方向軸Ａが図面上の平面に垂直に工具の中心を通っている。２つの第１切削刃５ａは切削刃の背部１１とともに工具の長手方向軸Ａの周囲の領域で互いに滑らかに接続されるよう変化して、段部１２が形成されている。工具の中心を越えて形成される第１の溝７ａ（補助線Ｈ１により示される）も同様に図７に示されている。第１切削刃５ａも対応して工具の中心線Ｈ１を越えて形成される。
【００６０】
更に図７に示されているのは、工具の長手方向軸Ａに面する第２の溝７ｂ、第２切削刃５ｂ及び切削刃の背部１１の側面である。いくつかの第２切削刃５ｂ及び切削刃の関連する背部１１は工具の長手方向軸Ａに向かって平坦領域１４に面している。この領域はすなわち切削刃が切削加工された領域である。これは、平坦領域１４内の領域の外面の高さがボールカッター２の半球形状とは仮定することができず、その高さは半球に関して減少することを意味する。
【００６１】
図８に、ボールカッター２の切削面３の長手方向断面図として平坦領域１４が模式的に示されている。第２切削刃５ｂはまず工具の長手方向軸Ａへと向けてボールカッター２のボール線上を延びている。そして内側へと曲がり、切削刃５ｂは滑らかに平坦領域１４へとつながっている。第２切削刃５ｂは平坦領域１４により安定化される。図７からわかるように、切削刃の背部１１は工具の長手方向軸Aに向かうにつれてますます薄くなっている。結果として、仮に工具の先端近傍の領域で完全な形状であるとすると、第２切削刃５ｂは非常にむしり取られたり摩耗しやすくなるであろう。このことが第２切削刃５ｂの平坦領域１４により防がれる。このようにして、第２切削刃５ｂは、切削加工される対象物に当てられるクリティカルな領域において、負荷を受けないようになるか、あるいは少なくとも過大な負荷を受けることはなくなる。結果として平坦領域１４により工具を長寿命化することができる。
【００６２】
更に図８からわかるように、平坦領域１４は少なくとも大半の部分において平面状に形成され、平坦領域１４と工具の中心軸Ａとの間の平坦角αが規定される。この平坦角αは図８においては８０°程度である。このような平坦領域は例えば図２に示されるトロイドカッターにおいても適用可能である。
【００６３】
図９及び図１０は、本発明に係るボールカッター２の一実施形態の加工領域４を模式的に示す側面図である。図１０のボールカッター２は図９に比較して長手方向軸Ａ周りに回転させられている。図９及び図１０のボールカッター２は少なくとも実質的な点において図６のボールカッターに一致しており、特に８つの切削刃５，５ａ，５ｂ及び対応する８つの溝７，７ａ，７ｂはそれぞれに示されている。構造上の観点からは、図６ないし図１０のボールカッター２は少なくとも原理的には図５のボールカッター２に対応している。
【００６４】
図９及び図１０に示されるボールカッター２は、非常に広範に図３及び図４に示されるトロイドカッター２に対応しており、同じ参照符号が使用される。よって、説明の都合上、適宜図３及び図４を参照することができる。重要な考慮すべき事項は、図９において観察者に向かって正面に第１切削刃５ａと関連する第１の溝７ａが示され、この第１の溝７ａは第１フェイスギャップ角λ１とされ、図１０では第２切削刃５ｂと関連する第２の溝７ｂが示され、第２の溝７ｂは第２フェイスギャップ角λ２とされていることである。第１フェイスギャップ角λ１は第２フェイスギャップ角λ２よりも小さくなるように選択される（例えば４５°及び５５°）。
【００６５】
図９及び図１０のボールカッター２を図３及び図４のトロイドカッター２に比較して明らかとなるのは、ボールカッターよりもトロイドカッターのほうがフェイスギャップ角がより小さいということである。これは工具２の切削面３の形状が異なる点に帰する。
【００６６】
図１１は、本発明に係るボールカッター２の一実施形態の第１切削刃５ａの切削刃背部１１の移行領域における段部１２を拡大して模式的に示す図である（観察方向はボールカッター２の切削面３を上方から見る向きである）。図面上の平面に垂直に位置する工具の長手方向軸Ａを通る横切削刃１３が段部１２に示されている。横切削刃１３は第１の部位１３ａ及び第２の部位１３ｂの２つの部位から構成されており、第１の部位１３ａと第２の部位１３ｂとは工具の長手方向軸Ａに関して実質的に点対称に形成されている。横切削刃の部位１３ａ、１３ｂを形成するために、回転加工方向Ｄに関して部位１３ａ、１３ｂのそれぞれ前方に溝１５ａ、１５ｂが彫り込まれている。これにより横切削刃の部位１３ａ、１３ｂは回転加工方向Ｄに関してそれぞれ有効なものとなる。横切削刃１３により工具先端の領域における摩擦による摩耗がかなり低減され、その結果工具の寿命を長くすることができる。この種の横切削刃の部位１３、１３ａ、１３ｂはトロイドカッターの場合にも適用しうる。
【００６７】
図１２は、ボールカッター２による加工対象物１６への切削加工工程を模式的に示す図である。ここでのボールカッター２は図５ないし図１１のボールカッターとすることができる。この方法は、例えば図１ないし図４に対応するトロイドカッターにも用いることができる。
【００６８】
図１２における加工対象物１６は加工されるべき被加工面Ｌを有する。切削加工動作においてボールカッター２は加工対象物の表面Ｌ上の線に沿って案内される。このためにボールカッター２は所定角度に設定される。すなわち工具の長手方向軸Ａと加工対象物の表面Ｌ上の加工対象となる点における垂線Ｎとがボールカッター２の傾斜角βを規定する。この傾斜角βは図１２においては２０°程度である。
【００６９】
加工対象物へのこの傾斜加工の基本的な効果は、工具、特にボールカッターまたはトロイドカッターの複数またはすべての切削刃が加工対象物の加工に用いられ、これにより、工具の前進量がより大きくなり加工時間がより短くなるという点にある。一方、図５ないし図１１のボールカッター２に例示されるような垂直加工の場合には、工具先端の２つの第１切削刃５ａだけしか実質的に加工対象物１６の加工に関与せず、工具の局所的な摩耗が増大するという結果になるであろう。
【図面の簡単な説明】
【００７０】
【図１】本発明に係るトロイドカッターの一実施形態を模式的に示す側面図である。
【図２】本発明に係るトロイドカッターの一実施形態の切削面を模式的に示す上面図である。
【図３】本発明に係るトロイドカッターの一実施形態の加工領域を模式的に示す側面図である。
【図４】図３に示されるトロイドカッターを模式的に示す側面図であり、図３に比較して工具の長手方向軸周りに回転した状態が示されている。
【図５】本発明に係るボールカッターの一実施形態を模式的に示す側面図である。
【図６】本発明に係るボールカッターの一実施形態を模式的に示す上面図である。
【図７】図６の中央部を拡大して示す図である。
【図８】本発明に係るボールカッターの一実施形態の第２切削刃（副切削刃）に関する平坦領域を模式的に示す図である。
【図９】本発明に係るボールカッターの一実施形態の加工領域を模式的に示す側面図である。
【図１０】図９に示されるボールカッターを模式的に示す側面図であり、図９に比較して工具の長手方向軸周りに回転した状態が示されている。
【図１１】本発明に係るボールカッターの一実施形態の第１切削刃の移行領域における段部の拡大図である。
【図１２】加工対象物への本発明に係る切削加工工程を模式的に示す図である。
【符号の説明】
【００７１】
２  ボールカッターまたはトロイドカッター、工具、  ３  切削面、  ４  加工領域、  ５  切削刃、  ５ａ  第１切削刃、  ５ｂ  第２切削刃、  ６  シャンク、  ７  溝、  ７ａ  第１の溝、  ７ｂ  第２の溝、  ８  溝底部、  ９  溝底部直線、  １０  ワーキングフランク、  １１  切削刃の背部、  １２  段部、  １３  横切削刃、  １３ａ，ｂ  横切削刃の一部、  １４  平坦領域、  １５ａ，ｂ  溝、  １６  加工対象物、  α  平坦角、  β  傾斜角、  λ  フェイスギャップ角、  λ１  第１フェイスギャップ角、  λ２  第２フェイスギャップ角、  Ａ  工具の長手方向軸、  Ｄ  回転加工方向、  Ｅ  工具の長手方向軸に垂直な平面、  Ｈ１，Ｈ２  工具の中心を示す補助線、  Ｌ  加工対象物の表面、  Ｎ  加工対象物Ｌの表面上の垂線、  Ｘ  領域。  
【図１】
2007075992.tif 000003
【図２】
2007075992.tif 000004
【図３】
2007075992.tif 000005
【図４】
2007075992.tif 000006
【図５】
2007075992.tif 000007
【図６】
2007075992.tif 000008
【図７】
2007075992.tif 000009
【図８】
2007075992.tif 000010
【図９】
2007075992.tif 000011
【図１０】
2007075992.tif 000012
【図１１】
2007075992.tif 000013
【図１２】
2007075992.tif 000014